(57)【特許請求の範囲】
【請求項１】
受け枠の開口を開閉するために当該受け枠にヒンジ結合される扉に装着されるハンドル装置であって、
開放方向である前面とその反対側の背面とを有する前記扉の前面側に固着される固定ベースと、
前端のほぼ扁平円柱状の頭部と、頭部の中心から後方へ延出する軸部とを具備し、頭部において施錠位置と解錠位置との間を軸周り正逆回転自在に前記固定ベースに支持され、軸部が前記固定ベース及び前記扉をそれの前面に対して垂直に貫通するロック軸と、
前記扉の背面側において前記ロック軸の軸部に固着され、ロック軸の施錠位置において前記受け枠に係合して扉の開放を阻止し、解錠位置において受け枠から離脱して扉の開放を許容するラッチ部材と、
前記ロック軸の頭部に係合させて当該ロック軸を施錠位置と解錠位置との間で回転操作するためのキーと、
前記扉の前面と平行な一対の枢軸により、前記固定ベースに起立倒伏自在に支持され、倒伏時に固定ベースの収納凹部内に、扉の前面とほぼ同一平面を形成するように収容されるハンドルとを具備し、
前記ロック軸の頭部の外周には駆動カム部が形成され、
前記ハンドルの枢軸の先端部の外周には、前記ロック軸の駆動カム部に係合する受動カム部が形成され、
前記駆動カム部と前記受動カム部には、前記ロック軸が施錠位置から解錠位置へ回転する間に互いに摺接して前記枢軸を軸周りに所定角度回転させて前記ハンドルを前記固定ベースから所定角度起立させるカム面が形成されることを特徴とする扉のハンドル装置。
【請求項２】
前記駆動カム部は、前記ロック軸の頭部の外周に、周方向に延びるカム溝を含み、このカム溝の側面に前記カム面が形成され、
前記ハンドルの枢軸の先端部は、前記ロック軸の頭部のカム溝内に挿入され、それのカム面がロック軸のカム面に対向するように配置されることを特徴とする請求項1に記載の扉のハンドル装置。
【発明の詳細な説明】
【技術分野】
【０００１】
この発明は、配線ピットや床下収納庫のフロアハッチ等の扉に使用される埋込み型の取手に関するものである。
【背景技術】
【０００２】
フロアハッチ用取手は、不使用時には歩行の障害とならないように床面と同一平面内に収納保持される一方、使用時には扉の引上げ回転操作のために迅速に床面上に立ち上げられる必要がある。ハンドルの偶発的な立ち上がりをなくして安全に使用できるものとして、ロック機能付きのフロアハッチ用取手が提案されている（例えば特許文献１参照）。この取手は、ハンドルが、常時ばねにより起立方向に付勢されている。不使用時には、ロック軸に固着されるラッチを扉に係合させることにより、ハンドルを倒伏位置に保持して扉の開放操作を不可能とする。使用時には、キーでロック軸を回転操作し、ラッチを外すことにより、ハンドルを立ち上げ、扉の開放操作を可能とする。
【先行技術文献】
【特許文献】
【０００３】
【特許文献１】実開昭５８−１１８１５６号公報
【発明の概要】
【発明が解決しようとする課題】
【０００４】
しかしながら、上記従来の取手は、扉を受け枠に対して錠止するものではない。したがって、この出願に係る発明は、扉を受け枠に対して錠止することができ、また、解錠と同時にハンドルが起立することで、扉の開放操作が可能となると共に、それにより解錠状態を容易に目視確認することができる扉のハンドル装置を提供することを目的としている。
【課題を解決するための手段】
【０００５】
以下、添付図面の符号を参照して説明するが、本発明はこれに限定されるものではない。
上記課題を解決するための、この出願に係る発明の扉のハンドル装置１は、受け枠Ｆの開口Ｆ１を開閉するために当該受け枠Ｆにヒンジ結合される扉Ｄに装着されるもので、扉Ｄの前面Ｄ１側に固着される固定ベース２と、固定ベース２及び扉Ｄをそれの前面Ｄ１に対して垂直に貫通するロック軸３と、ロック軸３に固着されるラッチ部材４と、ロック軸３を回転操作するためのキー５と、固定ベース２に起立倒伏自在に支持されるハンドル６とを具備する。
ロック軸３は、前端のほぼ扁平円柱状の頭部３１と、頭部３１の中心から後方へ延出する軸部３２とを具備し、頭部３１において施錠位置と解錠位置との間を軸周り正逆回転自在に固定ベース２に支持され、軸部３２が固定ベース２及び扉Ｄをそれの前面Ｄ１に対して垂直に貫通する。
ラッチ部材４は、扉Ｄの背面側においてロック軸３の軸部３２に固着され、ロック軸３の施錠位置において受け枠Ｆに係合して扉Ｄの開放を阻止し、解錠位置において受け枠Ｆから離脱して扉Ｄの開放を許容する。ハンドル６は、扉Ｄの前面Ｄ１と平行な一対の枢軸６３により、固定ベース２に起立倒伏自在に支持され、倒伏時に固定ベース２の収納凹部２１ｄ内に、扉Ｄの前面Ｄ１とほぼ同一平面を形成するように収容される。ロック軸３の頭部３１の外周には駆動カム部３３が形成される。ハンドル６の枢軸６５の先端部には、ロック軸３の駆動カム部３３に係合する受動カム部６４が形成される。駆動カム部３３と受動カム部６４には、ロック軸３が施錠位置から解錠位置へ回転する間に互いに摺接して枢軸６３を軸周りに所定角度回転させ、ハンドル６を固定ベース２から所定角度起立させるカム面３３ｃ，３３ｄ，６４ｂ，６４ｃが形成される。
【発明の効果】
【０００６】
この出願に係る発明のハンドル装置によれば、扉を受け枠に対して錠止することができ、また、解錠と同時にハンドルが起立することで、扉の開放操作が可能となると共に、それにより施解錠状態を容易に目視確認することができる。倒伏状態のハンドルを立ち上げるための指を挿入する隙間が不要であるため、隙間への泥や塵埃の蓄積を防止できる。
【図面の簡単な説明】
【０００７】
【図１】本発明の一実施例に係るハンドル装置の分解斜視図である。
【図２】図１のハンドル装置の正面図である。
【図３】図１のハンドル装置の平面図である。
【図４】図１のハンドル装置の側面図である。
【図５】図４におけるＶ−Ｖ断面図であり、Aは施錠状態、Bは解錠状態を示す。
【図６】図５におけるＶＩ−ＶＩ線による要部の断面図である。
【図７】図６におけるＶＩＩ矢視図である。
【図８】図７におけるＶＩＩＩ−ＶＩＩＩ断面図である。
【図９】図５におけるＩＸ−ＩＸ線による要部の断面図である。
【図１０】図５におけるＸ−Ｘ線による要部の断面図である。
【発明を実施するための形態】
【０００８】
図面を参照してこの発明の実施の形態を説明する。
図４に示すように、扉のハンドル装置１は、受け枠Ｆの開口Ｆ１を開閉するために当該受け枠Ｆにヒンジ結合される扉Ｄに装着されるものである。ハンドル装置１は、扉Ｄの開放方向である前面Ｄ１側に固着される固定ベース２と、固定ベース２及び扉Ｄをそれの前面Ｄ１に対して垂直に貫通するロック軸３と、ロック軸３に固着されるラッチ部材４と、ロック軸３を回転操作するためのキー５（図１）と、固定ベース２に起立倒伏自在に支持されるハンドル６とを具備する。
【０００９】
図１において、ハンドル６は、直線状の握り部６１と、握り部６１の両端から直角に延出する一対の脚部６２と、脚部６２の先端から直角に相対向して延出する丸棒状の枢軸６３とを具備する。ハンドル６は、枢軸６３が扉Ｄの前面Ｄ１と平行に固定ベース２に軸支され、固定ベース２に対して起立倒伏自在であり、倒伏時に固定ベース２の収納凹部２１ｄ内に、扉の前面とほぼ同一平面を形成するように収容される。
【００１０】
ハンドル６の枢軸６３は、先端部に受動カム部６４を有する。図１，6において、受動カム部６４は、枢軸６３の半径方向の対向部を切り欠いて、脚部６２の軸線に沿う平行な２平面６４ａ，６４ｂを形成してなり、ほぼ扁平四角柱状で、一隅に平面６４ａに対して傾斜したカム面６４ｃを有する。
【００１１】
図1において、固定ベース２は、本体２１と蓋板２２とを固着してなる。本体２１は、前方に開放する前後方向に扁平なほぼ矩形の箱状部２１ａと、それの周縁に広がるフランジ部２１ｂとを具備する。箱状部２１ａの内側は、仕切板２１ｃにより区画され、その一方の区画に、倒伏状態のハンドル６を収容できる収納凹部２１ｄが形成される。箱状部２１ａの底部には、収容されるハンドル６の一対の枢軸６３の先端間に位置して、軸挿通孔２１ｅが形成される。
【００１２】
固定ベース２の蓋板２２は、ほぼ矩形の板材であり、本体２１のフランジ部２１ｂの前面に重ねて固定されることで、箱状部２１ａの前面開口を閉じてハンドル６の枢軸６３を箱状部２１ａ内に軸受けする。蓋板２２は、倒伏状態のハンドル６を収納凹部２１ｄ内へ受け入れるための、ほぼコ字状の受け入れ開口２２ａと、本体２１の軸挿通孔２１ｅに対向するキー操作用開口２２ｂとを具備する。
【００１３】
ロック軸３は、前端のほぼ扁平円柱状の頭部３１と、頭部の中心から後方へ延出する軸部３２とを具備し、頭部３１において軸周り回転自在に固定ベース２に支持される。軸部３２は、固定ベース本体２１の軸挿通孔２１ｅ及び扉Ｄ（図４）をそれの前面にＤ１対して垂直に貫通して扉Ｄの背面側へ延出し、抜け止めされる。ロック軸３は、キー５の操作で、施錠位置と解錠位置との間をほぼ９０°の範囲で正逆回転する。
【００１４】
ラッチ部材４は、扉Ｄの背面側においてロック軸３の軸部３２に固着され、ロック軸３の施錠位置において受け枠Ｆに係合して扉Ｄの開放を阻止し、解錠位置において受け枠Ｆから離脱して扉Ｄの開放を許容する。
【００１５】
ロック軸３の頭部３１は、固定ベース２の箱状部２１ａ内にあって、ハンドル６の枢軸６２の先端部間に配置され、前端がキー操作用開口２２ｂから前方へ露出する。頭部３１の外周には駆動カム部３３が形成され、前面側には、キー５を係合させる係合部３４が形成される。
【００１６】
ロック軸３の駆動カム部３３は、頭部３１の外周に形成されるカム溝３３ａを含む。カム溝３３ａは、頭部３１の外周に軸線直交方向に延び、頭部３１の半径方向に相対向して一対設けられる。カム溝３３ａには、ハンドル６の受動カム部６４が相対移動自在に係合しており、ロック軸３は、カム溝３３ａの範囲で、ほぼ９０°（施錠位置と解錠位置との間）正逆回転自在である。図９に示すように、カム溝３３ａは、一端側に、受動カム部６４の軸周り回転を許容する拡大部３３ｂを有する。受動カム部６４は、この拡大部３３ｂ以外の部位では、平面６４ａ，６４ｂを前面Ｄ１と平行に向けた状態、すなわち、ハンドル６の倒伏状態で、カム溝３３ａに係合しており、この状態では、軸周り回転、すなわち、ハンドル６の起立が不可能である。拡大部３３ｂの一隅には、起立動作用の駆動カム面３３ｃ、それの対向部には倒伏動作用の駆動カム面３３ｄが形成される。駆動カム面３３ｃは、ロック軸３が解錠方向に回転して、解錠位置に来るとき、ハンドル６の受動カム面６４ｃを押圧し、枢軸６３を軸周りに所定角度回転させることにより、ハンドル６を所定角度起立させる。この状態で、ハンドル６の起立操作、扉Ｄの開放操作が可能となる。
【００１７】
デテントばね７が固定ベース２の箱状部２１ａ内に設けられ、いずれかのカム溝３３ａに落ち込むことで、施錠位置と解錠位置でロック軸３に回転抵抗を付与する。
【００１８】
図５（A），図６において、ハンドル装置１は施錠状態にある。この状態では、ハンドル６が倒伏して固定ベース２内に収容されており、それの受動カム部６４がカム溝３３ａの狭隘部内に位置するから、ハンドル６を起立させることができない。
【００１９】
この状態から、キー５によりロック軸３を反時計方向へほぼ９０°回転させて図５（B）に示す解錠位置に持ち来すと、ハンドル６の受動カム部６４がカム溝３３ａの拡大部３３ｂに配置され、ロック軸３の駆動カム面３３ｃがハンドル６の受動カム面６４ｃを押して、枢軸６４を図９において反時計方向へ回転させることで、ハンドル６を固定ベース２の収納凹部２１ｄ内から立ち上げる。この間、ラッチ部材４が受け枠Fから離脱して解錠される。これで、作業者がハンドル６を操作可能となるから、ハンドル６をさらに立ち上げて扉Dを開放操作する。作業が完了して扉Dを閉じ、施錠する際には、図５（B）に示す解錠位置から、ロック軸３を時計方向へ回転させると、図９の状態を経て、駆動カム面３３dが受動カム部６４の平面６４bを押して枢軸６３を図９において時計方向へ回転させることで、ハンドル６を固定ベース２の収納凹部２１ｄ内へ倒伏させる。この間、ラッチ部材４が受け枠Fに係合して施錠される。ハンドル６が固定ベース２の収納凹部２１ｄ内へ倒伏した状態において、ハンドル６と固定ベース２との間にはハンドル操作用の凹部などの大きな隙間が存在しない、したがって、泥や塵埃が隙間に蓄積されにくい。
【符号の説明】
【００２０】
１    ハンドル装置
２    固定ベース
２１  本体
２１ａ  箱状部
２１ｂ  フランジ部
２１ｃ  仕切板
２１ｄ  収納凹部
２１ｅ  軸挿通孔
２２  蓋板
２２ａ  受け入れ開口
２２ｂ  キー操作用孔
３    ロック軸
３１  頭部
３２  軸部
３３  駆動カム部
３３ａ  カム溝
３３ｂ  拡大部
３３ｃ  駆動カム面
３３ｄ  駆動カム面
３４  係合部
４    ラッチ部材
５    キー
６    ハンドル
６１  握り部
６２  脚部
６３  枢軸
６４  受動カム部
６４ａ  平面
６４ｂ  平面
６４ｃ  カム面
７    デテントばね
Ｆ    受け枠
Ｆ１  開口
Ｄ    扉
Ｄ１  前面
【図１】
0005341151.tif 000002
【図２】
0005341151.tif 000003
【図３】
0005341151.tif 000004
【図４】
0005341151.tif 000005
【図５】
0005341151.tif 000006
【図６】
0005341151.tif 000007
【図７】
0005341151.tif 000008
【図８】
0005341151.tif 000009
【図９】
0005341151.tif 000010
【図１０】
0005341151.tif 000011